(57)【特許請求の範囲】
【請求項１】
販売台等に懸架あるいは固定して使用され、一定形状の商品を販売単位毎に個別に納める収納部を縦長に多段に有するハンガー什器であって、前記ハンガー什器の一の収納部は、矩形状の前面開口部と前記前面開口部から奥行方向に下降傾斜する底部とを有し、前記底部は前記前面開口部と収納部後端との間に差し渡した２本の受け材から構成され、前記収納部後端は前記商品の落下を防止する停止構造を有し、さらに前記前面開口部には前面パネルが当該前面開口部の上段側を区画する前面側横桟に搖動可能に取り付けされていることを特徴とするハンガー什器。
【請求項２】
ハンガー什器が、金属またはプラスチックの線材、板材またはそれらの組み合わせ材料を折り曲げしまたは接合して組み立てした構成からなることを特徴とする請求項１に記載のハンガー什器。
【発明の詳細な説明】
【技術分野】
【０００１】
本発明は、ハンガー什器に関する。詳しくは、一定形状の商品を収納部に多段に納めるハンガー什器であって、商品の収納状態を確認し易く、設置スペースも小さくでき、かつ宣伝効果も得られるハンガー什器に関する。
【背景技術】
【０００２】
清涼飲料やコーヒー、お茶やビール等の飲料を金属缶やボトルに納めて自動販売する装置が店頭や街頭に数多く設置されている。しかし、これらの販売装置は大量に商品を充填して販売することを目的としており、高額な装置となることの他、設置面積も増大し管理も容易ではないという問題がある。
【０００３】
本発明は、狭小な店舗に設置できる簡易な商品販売装置を提供することを目的として研究されたものである。商品の収納や取り出しは人為的に行うものの、維持管理が容易であり、省エネルギーにも貢献する簡易な装置を提供するものである。
【０００４】
（従来技術）特許文献１には、ボトル陳列装置が記載されているが、ボトルを前後方向に向けて寝かせて積層陳列するもので、前面パネル等はなく、本願のハンガー什器とは相違している。特許文献２は、組み立て棚に関するが、角筒状のボックスを組み合わせるもので、本願のハンガー什器とは相違している。特許文献３には、スライド組立式の陳列台が記載されているが、折り畳み性や組立性を主目的とするもので本願のハンガー什器とは相違している。特許文献４には、ショーケース用缶飲料の出し入れラックが記載されているが、多数の缶飲料をラック内に入れるもので、収納部に１個毎に収納する本願のハンガー什器とは相違している。
【先行技術文献】
【特許文献】
【０００５】
【特許文献１】特開２００５−１３４０２号公報
【特許文献２】実用新案登録第３０６６８６４号公報
【特許文献３】特開２０００−１４５００号公報
【特許文献４】特許第２９８６４１１号公報
【発明の概要】
【発明が解決しようとする課題】
【０００６】
狭小な店内や店頭に簡単に設置でき、広告効果も得られるハンガー形式の什器とその使用方法を提供することを課題とする。
【課題を解決するための手段】
【０００７】
上記の課題を解決するために、本発明に係るハンガー什器は、販売台等に懸架あるいは固定して使用され、一定形状の商品を販売単位毎に個別に納める収納部を縦長に多段に有するハンガー什器であって、前記ハンガー什器の一の収納部は、矩形状の前面開口部と前記前面開口部から奥行方向に下降傾斜する底部とを有し、前記底部は前記前面開口部と収納部後端との間に差し渡した２本の受け材から構成され、前記収納部後端は前記商品の落下を防止する停止構造を有し、さらに前記前面開口部には前面パネルが当該前面開口部の上段側を区画する前面側横桟に搖動可能に取り付けされていることを特徴とする。
【０００８】
上記において、ハンガー什器が、金属またはプラスチックの線材、板材またはそれらの組み合わせ材料を折り曲げしまたは接合して組み立てした構成からなる、ようにすることができ、前記底部が、前面開口部と収納部後端間に差し渡した２本の受け材からなる、ようにすることができ、ハンガー什器の天頂部または側面に広告等の表示板を有する、ようにしてもよい。
【発明の効果】
【００１０】
本発明のハンガー什器によれば、軽量であって、販売台等に懸架あるいは固定して使用できるので、店内のデッドスペースを小さくできる。
【図面の簡単な説明】
【００１１】
【図１】本発明の１実施例であるハンガー什器を示す外観図である。
【図２】ハンガー什器の構造を示す斜視図である。
【図３】ハンガー什器の１段の収納部を示す側面図である。
【図４】前面パネルの開閉機構を説明する図である。
【図５】前面パネルの他の実施形態を示す図である。
【図６】前面パネルの開閉と商品との関係を示す図である。
【図７】ハンガー什器の使用状態を示す図である。
【発明を実施するための形態】
【００１２】
本発明のハンガー什器は、一定形状の商品を個別に納める収納部を多段に有するハンガー什器である。一定形状の商品とは形状が定型的な商品のことである。例として、飲料缶や飲料ボトル等が挙げられるが、一定形状のカップ型食品や菓子・ケーキ類であっても良い。従って、変形し易いものや不定形状の商品は含まれない。
個別に納める収納部は、上面や左右側面、底面、背面が閉鎖された箱型の収納部に限定されない。上記商品を販売単位毎に格納できるよう収納部が区画されていれば良い。該収納部は奥行方向が前面に対して水平であるか、やや下降して傾斜するように形成され、後端には商品の落下を防止する構造が形成されている。商品が前面開口部や後端から落下し難くするためである。
また、開口部を覆う前面パネルが開口部上側の桟に搖動可能に取り付けされている特徴がある。後に説明するように、商品収納時には前面パネルが収納部内に格納され、商品の非収納時には格納されず、前面を閉ざすようにするためである。
【００１３】
以下、本発明の実施形態について、図面を参照しながら、詳細に説明する。
図１は、本発明の１実施例であるハンガー什器を示す外観図である。図１（Ａ）は、商品８が収納部２の全てに充填されている状態を示し、図１（Ｂ）は、下から３番目の収納部２の商品８が抜き取られた状態を示している。図１（Ａ）の状態では、前面の開口部には商品８の先端が露出している。この状態では前面パネル１１は商品８の上側に沿って収納部２の内部に格納されるので、前面パネル１１の表示等も隠れている。
【００１４】
図１（Ｂ）の状態では、下から３段目の商品８が抜き取られ、他の段の収納部２には商品８が充填されている。下から３段目の収納部２では、前面パネル１１が開口部を覆っているが、他の収納部２は商品８の先端が露出している。３段目の収納部２では商品８の抜き取りと同時に前面パネル１１が自重により閉鎖位置に戻ったものである。
【００１５】
なお、ハンガー什器１の頂部には天部表示板１２があり、側面には側面表示板１３がある。何れも広告等の表示をすることができる。天部表示板１２は、ハンガー什器１の天部に抜き差し自在に設置されている。天部表示板１２を図１のように、直角三角柱状に形成し、斜辺を表示部とすることで、広告等の表示がハンガー什器１の側面側からも前面側からも視認できる利点が生じる。ただし、天部表示板１２は必須の構成ではない。
なお、図１では、１列のハンガー什器１であって、６段の収納部２を有する場合を図示しているが、段数は１０段程度までにでき、列数も同じ段数のハンガーを複数列並べる構成とすることもできる。
【００１６】
次に、ハンガー什器１の構造について説明する。ただし、ハンガー什器１は、以下に説明する構造に限定されず、請求項を逸脱しない範囲で改変できるものである。
図２は、ハンガー什器の構造を示す斜視図である。構造を分かり易くするため、前面パネル１１や天部表示板１２、側面表示板１３を除いた状態を図示している。
図２の場合、両側面に縦長長方形状に形成した枠材１１１，１１２を使用し、その前面側となる部分の最上段から、収納部２を区画する前面側横桟ｆ１，ｆ２，・・・ｆ７を設けている。各隣接桟間の間隔は略等間隔となっている。枠材１１１，１１２の背面側にも同様に背面側横桟ｂ１，ｂ２，・・・ｂ７を設けている。ｂ２，ｂ３，・・・ｂ７の隣接桟間は略等間隔であるが、ｂ１〜ｂ２桟間はやや広い間隔になっている。
両側面の枠材１１１，１１２と前面側と背面側の上下２本の横桟で区画される立方体ないし平行四辺形柱状体の空間が原則として１個の商品８等の収納部２となる。
ただし、背面側は枠材１１１，１１２から後端側に多少突出しても構わないので、該空間に追加される空間が生じる。
【００１７】
各収納部２は、底部の前面側と背面側が同じ高さとなる平面であっても良いが、収納部奥行が前面に対してやや下降傾斜する面にするのが商品を安定的に維持するためには好都合である。収納部奥行が前面に対してやや下降傾斜する状態にするためには、同一収納部２での前面側横桟ｆに対して背面側横桟ｂが、やや低い位置となるように設置する。
前面側横桟ｆと背面側横桟ｂとの間に差し渡した受け材ｓ１，ｓ２を設け、商品８を載置する底部とする。受け材ｓ１，ｓ２の２本に限定されず、板状の底面であっても良く、３本以上の受け材を使用しても構わない。２本の場合は円筒状の商品を載せるのに好適であるが、前面側横桟ｆに円筒側面が接触しないように、受け材ｓ１，ｓ２の間隔や太さを適切に設定する必要がある。
【００１８】
各収納部２の背面は商品の落下を防ぐため、停止構造（ストッパー）を設ける必要がある。
図２のように、半円形状のストッパー材ｓ３を持たせても良い。ただし、ストッパー材ｓ３の形状は自由に変更できるものであり、単なる棒材や板状物であっても良い。
【００１９】
図３は、ハンガー什器の１段の収納部を示す側面図である。図２の１段の収納部２を拡大図示するもので、枠材１１１、受け材ｓ１側から見た図である。図３（Ａ）は、空の状態、図３（Ｂ）は、ビール缶８Ｂを収納した状態の例である。
図３（Ａ）の空の状態では、前面パネル１１は、枠材１１１と平行な位置にあるので、側面からは観察できない状態にある。
受け材ｓ１，ｓ２は、図３（Ａ）のように、水平面に対して角度αで奥行方向に下降傾斜するように設ける。商品８が前面側に脱落し難くするためである。角度αは、１度から３０度程度、より好ましくは、３度から２０度程度の範囲である。また、商品がビール缶８Ｂの場合、頭頂部が前面パネル１１の閉じた状態の位置よりも前にでることが好ましい。
【００２０】
図３（Ｂ）のビール缶８Ｂを収納した状態では、ビール缶８Ｂは頭頂部をハンガー什器１の収納部２の枠から突出した状態にするのが好ましい。ビール缶８Ｂの存在が分かり易く、取り出しも容易だからである。そのため、収納部２の奥行Ｗは、例えば３５０ｍｌ缶では８０〜１００ｍｍ程度となる。
前面パネル１１は、ビール缶８Ｂに押されて収納部２内に格納され、ビール缶８Ｂの上の空間内に位置している。
【００２１】
図４は、前面パネルの開閉機構を説明する図である。
前面パネル１１は、板材料または類似の材料からなるもので、その上端を前面側横桟ｆに懸架する構造にされている。これにより、前面パネル１１は、前面側横桟ｆを軸として前後に搖動可能であり、商品８の詰め込みにより、収納部２内に隠れるようにされている。
【００２２】
図５は、前面パネルの他の実施形態を示す図であって、図５（Ａ）は側面図、図５（Ｂ）は正面図である。
前面パネル１１は、図４のような１枚の板材料でも良いが、図５のように、広告等を表示した表示紙１５を抜き差しできる構造にするのが好ましい。収納する商品８により、広告等を自在に変更できるようにするためである。
図５の場合の前面パネル１１は、２枚のプラスチック板からなる合わせ板状のパネル内に、パネル側面の開口から表示紙１５を差し込みできる構造にされている。
【００２３】
図６は、前面パネルの開閉と商品との関係を示す図である。
図６のように、前面パネル１１は、前面側横桟ｆを軸として回転する。図６のように、商品８が前面パネル１１の回転範囲の外側に納まる場合は、当初の垂直位置に戻るが、商品８が大きく前面パネル１１の反転を妨げる場合は元の垂直位置には戻れない。
【００２４】
ハンガー什器１は、金属またはプラスチック、またはそれらを組み合わせた材料である線材、板材を折り曲げしまたは接合して組み立てした構成からなっている。
金属としては、鉄、鋼材、アルミニューム、ステンレスの棒材に近い線材やそれらの板材を使用できる。線材は、あまり細い線状のものでは変形するので、直径２〜５ｍｍ程度であって荷重に耐える材料を使用する。全体の荷重をお支える枠材１１１，１１２には耐荷重性のかなり強度のある材料を選定する。重量のある商品８の場合は棒材に近い材料を使用しても良い。
【００２５】
プラスチック材料としては、ポリエチレン、ポリプロピレン、アクリル、ポリエステル、ナイロン、塩化ビニル等の材質を使用できる。ハンガー什器１の全体重量を軽減するにはプラスチック材料を使用するのが好ましい。天部表示板１２、側面表示板１３には、ある程度厚みのある紙材料を使用することもできる。
接合するとは、金属材の場合は、熔接や折り曲げすることが含まれ、金属材またはプラスチック材の場合は接着や嵌め込みによる接合であっても良い。
【００２６】
図７は、ハンガー什器の使用状態を示す図である。
本発明のハンガー什器１の使用方法は、商品８を収納部２に収納した状態では、前面パネル１１が前記商品８に押されて収納部２内に格納され、前記商品８の非収納状態では前面パネル１１が開口部を閉ざすことを特徴とするハンガー什器の使用方法、にある。
前記のように、ハンガー什器１の収納部２に商品８が収納されていない場合は、前面パネル１１の広告等が外面に表われるので、広告効果を高めることができる。
なお、ハンガー什器１は、図７のように、レジスタ１０近くの販売台等に懸架し、あるいは固定して使用することができる。ハンガー什器１の脚部分を接地させないことにより、デッドスペースを生じず、顧客の足元を狭くしない効果が得られる。
【実施例】
【００２７】
長方形状の枠材１１１、１１２として線径５．０ｍｍの丸線鉄材を使用し、その他には線径２．９〜４．０ｍｍの丸線鉄材を使用し、各鉄材の接合部を熔接し、図２図示のようなハンガー什器１の骨格構造を形成した。
なお、１の収納部２の開口の大きさを８０×８０ｍｍとし、奥行Ｗ（図３参照）を９０ｍｍとして、６段の収納部２を有する形態にした。
枠材１１１、１１２の全体高さは、５８０ｍｍとなった。この枠材のそれぞれの収納部２の前面側横桟ｆに、前面パネル１１を搖動可能に取り付けした。また、枠材１１１と枠材１１２の外面に側面表示板１３を取り付けし、ハンガー什器１の天頂部に天部表示板１２を抜き差し自在になるように取り付けし、ハンガー什器１を完成した。
【００２８】
なお、前面パネル１１には、０．５ｍｍ厚のポリエチレンテレフタレート（ＰＥＴ）シート２枚の３周囲を接着し（１側面を開口し）、合わせ板状に貼り合せたパネルを使用した（図５参照）。この開口から広告を印刷した表示紙１５を差し込みして使用した。
前面パネル１１の大きさは、前記８０×８０ｍｍの開口に入り得る大きさにした。
側面表示板１３、および天部表示板１２の板材には、両面にポリプロピレンをラミネートしたラミネート後の紙（３６０ｇ／ｍ２）を使用した。それぞれ外面に印刷した表示を設けた。
【００２９】
このハンガー什器１の収納部２に、３５０ｍｌ容量のビール缶（直径約６６ｍｍ）を各１個収納して好適に使用することができた。
ビール缶８Ｂを収納部２に収納した状態では、前記前面パネル１１がビール缶８Ｂに押されて収納部２内に格納され、ビール缶８Ｂの非収納状態では前記前面パネル１１が開口部を閉ざすようにする使用方法も可能であった。
【符号の説明】
【００３０】
１  ：ハンガー什器
２  ：収納部
８  ：商品
８Ｂ：ビール缶
１０：レジスタ
１１：前面パネル
１２：天部表示板
１３：側面表示板
１５：表示紙
１１１，１１２：枠材
ｆ，ｆ１，ｆ２，・・ｆ７：前面側横桟
ｂ，ｂ１，ｂ２，・・ｂ７：背面側横桟
ｓ１，ｓ２：受け材
ｓ３：ストッパー材
【図１】
0006717002.tif 000002
【図２】
0006717002.tif 000003
【図３】
0006717002.tif 000004
【図４】
0006717002.tif 000005
【図５】
0006717002.tif 000006
【図６】
0006717002.tif 000007
【図７】
0006717002.tif 000008